(57)【要約】【課題】パッキンの接合部にて雨水等が侵入し難い電気機器を提供する。【解決手段】筐体（１１）は、開口部（２０）と、開口部（２０）から外側に延在する方形状のフランジ部（２１）とを備える。蓋体（１２）は、筐体（１１）の開口部（２０）およびフランジ部（２１）を覆い、筐体（１１）のフランジ部（２１）に取り付けられる。パッキン（１３）は、フランジ部（２１）と蓋体（１２）との間に設けられる。筐体（１１）は、絞り加工で形成されており、パッキン（１３）は、複数の紐状部材（４０）〜（４３）を接合部（４４）にて連結したものであり、接合部（４４）は、フランジ部（２１）の隅部（２２）に位置する。【選択図】図４
2019161069.tif 000002
【特許請求の範囲】
【請求項１】
電気部品を収容する角型の筐体であって開口部と、該開口部から外側に延在する方形状のフランジ部とを備える筐体と、
該筐体の開口部およびフランジ部を覆い、前記筐体のフランジ部に取り付けられる蓋体と、
前記筐体のフランジ部と前記蓋体との間に設けられたパッキンとを備える電気機器であって、
前記筐体は、絞り加工で形成されており、
前記パッキンは、複数の紐状部材を接合部にて連結したものであり、
前記接合部は、前記フランジ部の隅部に位置することを特徴とする電気機器。
【請求項２】
前記蓋体は、前記筐体のフランジ部にて締結されることを特徴とする請求項１に記載の電気機器。
【請求項３】
前記接合部は、前記フランジ部の隅部どうしの対角線の方向を含む接合面、または、前記対角線と交わる接合面を有することを特徴とする請求項１または２に記載の電気機器。
【請求項４】
前記接合部は、前記フランジ部の隅部どうしの対角線に平行な接合面、または前記対角線の方向を含む接合面と、前記対角線に垂直な接合面とを有することを特徴とする請求項１または２に記載の電気機器。
【請求項５】
前記パッキンは、前記フランジ部の隅部にて湾曲する湾曲部を備えることを特徴とする請求項１から４までの何れか１項に記載の電気機器。
【発明の詳細な説明】
【技術分野】
【０００１】
本発明は、例えば、パワーコンディショナ等の電気機器に関する。具体的には、本発明は、上記電気機器における筐体および蓋体の間を密閉するためのパッキンに関する。
【背景技術】
【０００２】
多くの電気機器は、電気部品を収容する筐体と、該筐体の開口部およびフランジ部を覆う蓋体とを備えている。また、風雨に曝される電気機器には、雨水等の侵入を防止するためのパッキンが上記筐体のフランジ部と上記蓋体との間に設けられている。
【０００３】
上記パッキンを、シート状の弾性部材からの打ち抜きで形成する場合、上記パッキンの開口に対応する部分の材料が無駄となる。そこで、特許文献１では、上記パッキンを、複数の紐状部材に分割し、隣り合う紐状部材どうしを接合している。
【先行技術文献】
【特許文献】
【０００４】
【特許文献１】特開２０１１−１９２７８２号公報
【発明の概要】
【発明が解決しようとする課題】
【０００５】
特許文献１のようなパッキンの場合、隣り合う紐状部材どうしが接合された接合部において、雨水等の侵入を防止するような工夫が必要である。そこで、特許文献１に記載のパッキンでは、接合部は、雨水等の侵入経路を長くするために、複数の接合面を有している。
【０００６】
しかしながら、上記侵入を防止するには、上記パッキンだけでなく、上記筐体および上記蓋体の特徴も考慮する必要がある。本開示の一態様は、パッキンの接合部にて雨水等が侵入し難い電気機器を提供することを目的とする。
【課題を解決するための手段】
【０００７】
上記の課題を解決するために、本開示の一態様に係る電気機器は、電気部品を収容する角型の筐体であって開口部と、該開口部から外側に延在する方形状のフランジ部とを備える筐体と、該筐体の開口部およびフランジ部を覆い、前記筐体のフランジ部に取り付けられる蓋体と、前記筐体のフランジ部と前記蓋体との間に設けられたパッキンとを備える電気機器であって、前記筐体は、絞り加工で形成されており、前記パッキンは、複数の紐状部材を接合部にて連結したものであり、前記接合部は、前記フランジ部の隅部に位置する。
【０００８】
ところで、角型の筐体を絞り加工で形成する場合、側壁の傾き等を調整する必要があるが、このような調整を行っても、前記筐体におけるフランジ部の隅部は傾斜し難い。
【０００９】
そこで、前記の構成によると、角型の筐体は、絞り加工で形成されており、パッキンの接合部は、前記筐体におけるフランジ部の隅部に位置する。従って、前記パッキンの接合部が、前記フランジ部に密着することができ、前記パッキンの接合部にて雨水等が侵入し難くなる。
【００１０】
前記電気機器では、前記蓋体は、前記筐体のフランジ部にて締結されることが好ましい。この場合、前記パッキンの接合部が前記蓋体および前記筐体のフランジ部に良好に密着することができ、前記パッキンの接合部にて雨水等がさらに侵入し難くなる。
【００１１】
ところで、前記フランジ部の隅部は、隅部どうしの対角線を含む位置が、前記のような調整を行っても最も傾斜し難い。そこで、前記電気機器では、前記接合部は、前記フランジ部の隅部どうしの対角線の方向を含む接合面、または、前記対角線と交わる接合面を有することが好ましい。この場合、前記パッキンの接合部が、前記フランジ部にさらに密着することができ、前記パッキンの接合部にて雨水等がさらに侵入し難くなる。
【００１２】
前記電気機器では、前記接合部は、前記フランジ部の隅部どうしの対角線に平行な接合面、または前記対角線の方向を含む接合面と、前記対角線に垂直な接合面とを有することが好ましい。この場合、前記対角線に平行な接合面、または前記対角線の方向を含む接合面における隙間と、前記対角線に垂直な接合面における隙間とが略垂直となるため、一方の隙間に侵入した雨水等が他方の隙間に侵入し難くなる。その結果、雨水等がさらに侵入し難くなる。
【００１３】
ところで、角型の筐体を絞り加工で形成する場合、開口部の隅部は湾曲した形状となる。そこで、前記パッキンは、前記フランジ部の隅部にて湾曲する湾曲部を備えることが好ましい。この場合、前記接合部は、前記湾曲部に位置することになり、前記パッキンは、前記筐体の開口部に対応した形状となり、前記パッキンの接合部にて雨水等がさらに侵入し難くなる。
【発明の効果】
【００１４】
本開示の一態様によれば、パッキンの接合部にて雨水等が侵入し難い電気機器を提供することができる。
【図面の簡単な説明】
【００１５】
【図１】本開示の実施形態におけるパワーコンディショナの構成を示す斜視図である。
【図２】蓋体を外した上記パワーコンディショナの構成を示す図であり、（ａ）は正面図であり、（ｂ）は上記パワーコンディショナを下側から見上げた斜視図である。
【図３】上記パワーコンディショナにおける、蓋体およびパッキンの構成を示す背面図である。
【図４】上記蓋体を取り付けたパワーコンディショナの構成を示す図であり、（ａ）は正面図であり、（ｂ）および（ｃ）は、（ａ）のＡ−Ａ線における矢視断面図であって、上記パワーコンディショナの前側上部および前側下部をそれぞれ示す図である。
【図５】図３に示す上記蓋体の隅部における上記蓋体および上記パッキンの構成の一例を示す背面図である。
【図６】図３に示す上記蓋体の隅部における上記蓋体および上記パッキンの構成の別の例を示す背面図である。
【図７】図３に示す上記蓋体の隅部における上記蓋体および上記パッキンの構成のさらに別の例を示す背面図である。
【図８】図３に示す上記蓋体の隅部における上記蓋体および上記パッキンの構成のさらに別の例を示す背面図である。
【図９】図３に示す上記蓋体の隅部における上記蓋体および上記パッキンの構成の他の例を示す背面図である。
【発明を実施するための形態】
【００１６】
以下、本開示の一側面に係る実施の形態（以下、「本実施形態」とも表記する）を、図面に基づいて説明する。
【００１７】
§１  適用例
まず、図４に基づいて、本開示が適用される場面の一例について説明する。
【００１８】
図４は、蓋体を取り付けたパワーコンディショナの構成を示す図である。図４の（ａ）は正面図である。図４の（ｂ）および（ｃ）は、図４の（ａ）のＡ−Ａ線における矢視断面図であって、上記パワーコンディショナの前側上部および前側下部をそれぞれ示す図である。
【００１９】
図４に示すように、パワーコンディショナ１０（電気機器）は、電気部品を収容する角型の筐体１１であって開口部２０と、該開口部２０から外側に延在する方形状のフランジ部２１とを備える筐体１１と、該筐体１１の開口部２０およびフランジ部２１を覆い、筐体１１のフランジ部２１に取り付けられる蓋体１２と、筐体１１のフランジ部２１と蓋体１２との間に設けられたパッキン１３とを備える。
【００２０】
筐体１１は、絞り加工で形成されており、パッキン１３は、複数の紐状部材４０〜４３を接合部４４にて連結したものであり、接合部４４は、フランジ部２１の隅部２２に位置する。
【００２１】
ところで、角型の筐体１１を絞り加工で形成する場合、側壁の傾き等を調整する必要があるが、このような調整を行っても、筐体１１におけるフランジ部２１の隅部２２は傾斜し難い。
【００２２】
そこで、上記の構成によると、角型の筐体１１は、絞り加工で形成されており、パッキン１３の接合部４４は、筐体１１におけるフランジ部２１の隅部２２に位置する。従って、パッキン１３の接合部４４が、フランジ部２１に密着することができ、パッキン１３の接合部４４にて雨水等が侵入し難くなる。
【００２３】
§２  構成例
本開示の実施の形態について図１〜図５に基づいて説明する。
【００２４】
（パワーコンディショナの構成）
本実施の形態のパワーコンディショナは、太陽光発電を利用した系統連系システムに用いられるパワーコンディショナ（Power Conditioning System）である。
【００２５】
系統連系システムは、住宅の屋根等に設置する複数の太陽電池と、各太陽電池により発電された直流電力を交流電力に変換するパワーコンディショナとで構成される。そして、この系統連系システムは、パワーコンディショナと商用電力系統との間に接続された負荷に対して、系統連系運転と自立運転との何れか一方に切り替えて交流電力を供給するものである。ここで、系統連系運転とは、パワーコンディショナと商用電力系統とを連系して運転することを示す。また、自立運転とは、例えば商用電力系統が停電している場合等に、パワーコンディショナのみを運転することを示す。
【００２６】
図１は、パワーコンディショナ１０の構成を示す斜視図である。図２は、蓋体１２を外したパワーコンディショナ１０の構成を示す図である。図２の（ａ）は正面図である。図２の（ｂ）はパワーコンディショナ１０を下側から見上げた斜視図である。図３は、蓋体１２およびパッキン１３の構成を示す背面図である。図５は、図３に示す蓋体１２の隅部における蓋体１２およびパッキン１３の構成を示す背面図である。なお、本願においては、正面側を前側と称し、背面側を後側と称する場合がある。
【００２７】
図１〜図５に示すように、パワーコンディショナ１０は、略直方体の筐体１１と、蓋体１２と、筐体１１および蓋体１２の間を密閉するパッキン１３とを備える。
【００２８】
筐体１１は、内部に各種の電気部品を収容し、外部の背面にファン、放熱板等が設けられている。筐体１１は、前側に略方形状の開口部２０と、該開口部２０から外側に延在する略方形状のフランジ部２１とを備える。筐体１１は、金属製であり、絞り加工によって形成されている。このため、筐体１１の開口部２０は、４つの隅部において湾曲している。また、フランジ部２１の４つの隅部２２には孔部２３が設けられている。
【００２９】
蓋体１２は、筐体１１の開口部２０およびフランジ部２１を覆う略方形の板状部材である。蓋体１２の４隅には、孔部３０が設けられている。蓋体１２は、ボルト１４およびナット１５により筐体１１に取り付け可能となっている。
【００３０】
パッキン１３は、蓋体１２と筐体１１のフランジ部２１との間に設けられる。パッキン１３は、ゴム等によって形成された弾性部材である。パッキン１３は、筐体１１の開口部２０に対応する形状であり、該開口部２０よりも稍大きいサイズとなっている。従って、パッキン１３は、フランジ部２１の隅部２２において湾曲する湾曲部を有し、その他の部分では直線状である直線部を有している。
【００３１】
本実施形態では、パッキン１３は、４本の紐状部材４０〜４３からなり、隣り合う紐状部材４０〜４３どうしは、フランジ部２１の隅部２２にて接合している。すなわち、パッキン１３の接合部４４は、上記湾曲部に位置することになる。
【００３２】
これにより、上述のように、パッキン１３の接合部４４が、フランジ部２１に密着することができ、パッキン１３の接合部４４にて雨水等が侵入し難くなる。また、パッキン１３は、筐体１１の開口部２０に対応した形状となり、パッキン１３の接合部４４にて雨水等がさらに侵入し難くなる。
【００３３】
なお、上下の紐状部材４０・４２は同じ形状であり、左右の紐状部材４１・４３は同じ形状である。すなわち、本実施形態では、２種類の紐状部材を生成すればよいため、生産性が向上する。
【００３４】
（パワーコンディショナの組み立て方法）
上記構成のパワーコンディショナ１０は、下記のように組み立てられる。すなわち、まず、筐体１１内に電気部品を収容する。また、蓋体１２の背面にパッキン１３を取り付ける。なお、蓋体１２においてパッキン１３が取り付けられる面は平坦な面である。
【００３５】
次に、筐体１１の開口部２０およびフランジ部２１を覆うように蓋体１２を取り付ける。なお、フランジ部２１においてパッキン１３が接触する面は平坦な面である。そして、ボルト１４を蓋体１２の孔部３０および筐体１１の孔部２３を貫通させ、貫通させたボルト１４にナット１５を螺合することにより、蓋体１２が筐体１１に締結される。従って、パッキン１３の接合部４４が蓋体１２および筐体１１のフランジ部２１に良好に密着することができ、パッキン１３の接合部４４にて雨水等がさらに侵入し難くなる。なお、筐体１１および蓋体１２の間には、パッキン１３が押し潰されることを防止するためのスペーサが設けられていることが望ましい。
【００３６】
（変形例）
図６〜図９は、図５と同様の背面図であり、パッキン１３の接合部４４の変形例を示す図である。
【００３７】
上記実施形態では、図５に示すように、紐状部材４０・４１どうしの接合部４４は、対角線Ｄに平行な２つの接合面４４ａ・４４ｂと、対角線Ｄに垂直な１つの接合面４４ｃとを有し、接合面４４ｃは、対角線Ｄと垂直に交わっている。
【００３８】
一方、図６の例では、接合部４４は、対角線Ｄに平行な１つの接合面４４ｄを有し、接合面４４ｄは、対角線Ｄの方向を含んでいる。また、図７の例では、接合部４４は、対角線Ｄに平行な３つの接合面４４ｅ〜４４ｇと、対角線Ｄに垂直な２つの接合面４４ｈ・４４ｉとを有し、接合面４４ｅ・４４ｇは、対角線Ｄの方向を含んでいる。
【００３９】
また、図８の例では、接合部４４は、対角線Ｄに平行な３つの接合面４４ｊ〜４４ｌと、対角線Ｄに垂直な２つの接合面４４ｍ・４４ｎとを有し、接合面４４ｋは、対角線Ｄの方向を含んでいる。また、図９の例では、接合部４４は、対角線Ｄと交わる接合面４４ｏを有する。
【００４０】
ところで、フランジ部２１の隅部２２は、隅部２２どうしの対角線Ｄを含む位置が、絞り加工の調整を行っても最も傾斜し難い。そこで、接合部４４は、図６・図７・図８に示すように対角線Ｄの方向を含む接合面、または、図５・図９に示すように対角線Ｄと交わる接合面を有することが望ましい。この場合、パッキン１３の接合部４４が、フランジ部２１にさらに密着することができ、パッキン１３の接合部４４にて雨水等がさらに侵入し難くなる。
【００４１】
また、接合部４４は、図５・図７・図８に示すように、対角線Ｄに平行な接合面、または対角線Ｄの方向を含む接合面と、対角線Ｄに垂直な接合面とを有することがさらに望ましい。この場合、対角線Ｄに平行な接合面、または対角線Ｄの方向を含む接合面における隙間と、対角線Ｄに垂直な接合面における隙間とが略垂直となるため、一方の隙間に侵入した雨水等が他方の隙間に侵入し難くなる。その結果、雨水等がさらに侵入し難くなる。
【００４２】
なお、対角線Ｄの方向を含む接合面は、対角線から或る程度傾いた方向を含む接合面であってもよい。この傾きは、対角線Ｄから±１５度程度であればよく、対角線Ｄから±１０度程度であればさらによく、対角線Ｄから±５度程度であれば最もよい。
【００４３】
（付記事項）
上記実施形態では、パッキン１３は、４つの紐状部材４０〜４３が４つの隅部２２にて接合しているが、これに限定されるものではない。パッキン１３は、２つの紐状部材が２つの隅部２２にて接合していてもよいし、３つの紐状部材が３つの隅部２２にて接合していてもよい。
【００４４】
上記実施形態では、パワーコンディショナ１０に本発明を適用しているが、これに限定されるものではない。電気部品を収容する筐体と、該筐体の開口部を覆う蓋体とを備える電気機器であれば、本発明を適用することができる。
【００４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４６】
１０  パワーコンディショナ（電気機器）
１１  筐体
１２  蓋体
１３  パッキン
１４  ボルト
１５  ナット
２０  開口部
２１  フランジ部
２２  隅部
２３、３０  孔部
４０〜４３  紐状部材
４４  接合部
４４ａ〜４４ｏ  接合面
Ｄ  対角線
【図１】
2019161069.tif 000003
【図２】
2019161069.tif 000004
【図３】
2019161069.tif 000005
【図４】
2019161069.tif 000006
【図５】
2019161069.tif 000007
【図６】
2019161069.tif 000008
【図７】
2019161069.tif 000009
【図８】
2019161069.tif 000010
【図９】
2019161069.tif 000011